(57)【要約】      （修正有）【課題】人間の一期一会を生きるだけの長寿でなく、ＤＮＡと結合する塩基性蛋白質の形で遺伝情報発現を制御し、疾患に抗体としての免疫的な防御機能を持つ体質を持ち社会貢献が可能な健康長寿を維持する、更に遠赤外線光の波長作用する光化学活性の領域で、生体外の物質類などの室内環境ホルモンの改善や、産業の省エネ・省力化や恒常性の屋外環境ホルモン除去などの光活性効果が期待できる遠赤外線光テラヘルツ波の発振装置を提供する。【解決手段】遠赤外線光テラヘルツ波の発振装置は遷移金属を陽極酸化処理の薄板材の二次電極１０、一次コイル巻電極板１２、比誘電絶縁材１３、基板１４、絶縁断熱材１５、結束矯正総括板１６、「＋」側取出端子２３Ａ、「−」側取出端子２３Ｂから構成される。  【選択図】図２
2006020984.tif 000002
【特許請求の範囲】
【請求項１】
赤外線光領域の遠赤外線１０１２振動領域の１４μ〜３，６μ波長を振動放射するために、一次抵抗線コイル巻電極と、遷移金属板二次電極との間隙に比誘電体材を設け電界と磁界と合成熱を高放射輝度させ、被物質が遠赤外線振動光を吸光し物質内原子概数電気両性イオン量相当振動で電子解離・附加の反応で、各物質の分子間のク−ロン力やファンデルワ−ルス力や静電気力の光化学活性の吸光振動反応を可能にする光支配を中心とした特徴の遠赤外線光テラヘルツ波の発振装置。
【請求項２】
１０１２発振領域で化学結合に対応する、被物質の吸光帯と原子概数量の両性イオンを電子解離・附加のイオン作用で化学変換の振動領域を、単結合・二重結合・三重結合・水素との結合を各領域に放射光化学活性が可能な、一次抵抗線コイル巻電極の電界磁界の発振強度と、遷移金属板二次電極との間隙板の比誘電材の面材Φ１２５ｍｍ当たり、２・８・１８・３２・５０・７２の順位で複数個以上の微小孔を開け、比誘電損の制御で単位電力でも放射率に比べ放射輝度が増幅する省エネ変換を備える特徴の遠赤外線光テラヘルツ波の発振装置である。
【請求項３】
遠赤外線光テラヘルツ波の光合成は、色素蛋白質複合体で集光した光エネルギ−を紅色光合成色素細菌クロロフイルａ型などの誘導体類や、力ロチノイド補助色素の電子の転位やプロトンＨ＋や各イオンなど相対関係で、アデノシン三リン合成酵素反応などの光リン酸化回路は電子酵素を次々と生成し、蛋白質を酵素中心の基質代謝を誘発する為と。光エネルギ−によって励起された反応中心の金属元素類の分子中の電子は、未知の電子受容体に移ったあと色々な電子酵素を通り光リン酸化回路を合成しないが、光還元される鎖イオンや鎖体からのキレ−トの化学作用と反応を効果的にする為に。
生体の多細胞や単細胞など物質に、単結合領域で原子価角の周期的な変化に起こる変角振動と、原子価の軸方向に原子価振動する伸縮振動７００ｃｍ−１〜１５００ｃｍ−１の振動領域が、細胞の蛋白質含有の金属元素イオン類の原子及び分子団が吸光で励起振動のイオン的化学反応とで補酵素を生成し、生命現象の生理機能の物質代謝活性を触媒する酵素群の活性と、酵素活性化する金属元素イオン類振動数など基準存在量に増殖が可能にする特徴と、蛋白質の有機物部位に金属イオン類での制御や、基礎代謝の陽イオン化のイオン化ポテンシャルを誘発させ、高分子有機化合物の生体細胞を制御する代謝複製に変角・伸縮振動が光促進させ、ホルモンとして作用しＤＮＡと結合する塩基性蛋白質の形で遺伝情報発現を制御し免疫的な抗体的体質に、遠赤外線光テラヘルツ波の光学活性が体質調律を可能にする特徴を有する。
【請求項４】
元素周期表が示す４族〜７族の原子価を付帯する元素類の化学物質の原子及び分子団の、吸収帯が単結合・二重結合・三重結合・水素との結合領域に波数１５００ｃｍ−１〜３２００ｃｍ−１数値波長の領域で、非金属原元素類の原子及び分子団を原子価の軸方向に原子価振動する伸縮振動の吸光振動で、元素固有の原子概数量の両性イオンで電子解離や附加などのイオン的化学反応で、物質類乾燥硬化・などの化学反応の変換効果を主に伸縮振動が可能にする特徴を備える遠赤外線光テラヘルツ波の発振装置。
【請求項５】
二次電極の遷移金属に陽極酸化処理した金属材と、一次コイル巻電極の自己制御の位相放射エネルギ−で、陽イオン波動放射の物性を備え、各化学結合の領域で伸縮・変角振動のイオン化エネルギ−を他の金属円筒内にイオン化ラジカル転写や、物質振動で陰イオン方の物質変換を誘発することを特徴とする、請求項１または２記載、３記載、４記載の遠赤外線光テラヘルツ波の発振装置。
【請求項６】
金属ハウジングは、電界磁界の発振合成熱放射の、一次抵抗線コイル巻電極と、放射面の陽極酸化処理した遷移金属二次電極と、其の間隙部に、微細孔付帯の誘電体を備えた主要部を形成し、主要部を支持する絶縁断熱体と、歪均衡凸金属板と、各構造化金属類を備え、機械的な構造製品化であることを、特徴とする請求項１記載及び２項・３項・４項・５項記載の遠赤外線光テラヘルツ波の発振装置。
【請求項７】
多細胞領域の吸光振動は、変角振動及び伸縮振動の領域で変換し、二重結合・三重結合・水素との結合は、主量子数の電子核運動量を示す副量子数の電子軌道を変角・伸縮振動で電子解離や附加などの物質変換を可能にする、請求項１及び請求項２、請求項３、請求項４、請求項５、請求項６記載の遠赤外線テラヘルツ波の発振装置。
【請求項８】
単結合領域で色素蛋白質複合体が吸光し変角振動と伸縮振動で生体細胞にファンデルワ−ルス力や分子間力で基質代謝で物質変換し、室内環境の有害化学物質や単細胞細菌微生物にはク−ロン力を反応附加しての対応を可能にする特徴があり、室内環境の上部など効果的位置や対象装置に設ける等ができ。又、二重結合や三重結合や水素との結合領域の対象物質は、目的装置の枠内で上部など効果的な位置に設け伸縮振動ク−ロン力で乾燥硬化など物質変換を備える、請求項４、請求項５、請求項６、請求項７記載する遠赤外線光領域の総てに作用可能な遠赤外線光テラヘルツ波の発振装置。
【発明の詳細な説明】
【発明の詳細な説明】
【０００１】  この発明の、遠赤外線光テラヘルツ波の発振装置は、光の電磁波が示す波作用と線作用の分岐点上にあり、電波で周波数区分では、
・船舶や航空機航行通信用長波の３０〜３００ＫＨｚ（キロヘルッ）。
・ラジオ放送や交通情報の中波３ＭＨｚ（メガヘルッ）。
・短波放送や標準電波や国際通信の短波３０ＭＨｚ。
・テレビやタクシ−無線やＦＭ放送の３００ＭＨｚ。
・衛星放送や携帯電話や電子レンジの３ＧＨｚ（ギガヘルツ・振動数１０１１帯・マイクロ波）から、宇宙通信や気象航空用や船舶レ−ダの３００ＧＨｚの電波の種類で、分子スペクトル波長領域では振動数を回転スペクトルと区分されている物理光学的には衆知がある。
光で物質を支配する赤外線光の振動数１０＞１２〜１０１５＜の領域で、赤外線領域の振動スペクトル遠赤外線光は１０１２ＴＨｚ（テラヘルツ）である。
電子スペクトルの電子は、物質を構造化する原子電子概数に元素固有の両性電荷を付帯し、１０１２＜の遠赤外線光テラヘルツ光を各物質が吸光されると、分子の振動と共に電子の原子価角が変化を起こす変角振動と、原子価の結合方向に沿って起こる伸縮振動で、有機物の酸化・還元・置換・付加・環化・転位などの触媒反応促進と、鉄・亜鉛など無機物金属イオンに両性イオン的結合で補酵素を生成し、酵素活性させ蛋白質を酵素中心の代謝複製を単結合領域で可能にする。
１０１５電子スペクトルの可視光線は照明やネオンなどに用いられ、１０１８電子スペクトルの紫外線は害虫の殺菌生活や医療用や工業用などに応用され、１０２１電子スペクトルのＸ線は医療用の治療や検査に応用され工業用的検査にこ応用されている。
遠赤外線光テラヘルツ波を吸光する物質や生体細胞の金属元素イオンをとイオン的伝達し、補酵素を合成し生理機能に必要な酵素触媒活性でＤＮＡと結合する塩基性の形で、蛋白質の遺伝情報発現を制御し、細胞分裂数を誘発させ免疫的な防御機能を備る体質にする。  室内環境の非金属元素類で製品化した内装材など有機リン系など陰イオン化学物質環境には静電気力で中性化の環境にする。
又、非金属元素の有機物類が合成するカビの発芽など、単細胞細菌微生物を吸光励起の振動で振動開裂で存在を失わせる。
【産業上の利用分野】
【０００２】  本発明は、健康長寿の代替医療に関わる光学振動効果などと、単細胞細菌微生物類への振動開裂殺菌などと、室内環境に関する陰イオン系有害物質など静電気力で中性化と単細胞ＭＲＳＡや大腸菌や緑のう菌の殺菌を電気力５ｗ〜４８ｗの単結合領域で可能にする遠赤外線光テラヘルツ波の発振装置である。
【０００３】  産業分野で乾燥硬化などは、電気力５５ｗ〜４００ｗの二重結合及び三重結合及び水素との結合領域で、広範囲の通電値で陽イオン光で乾燥硬化及び振動殺菌を可能にする遠赤外線光テラヘルツ波の発振装置である。
【背景技術】
【０００４】  健康長寿の代替医療に、ミネラル類（金属元素類）やビタミンの飲食補給などや健康器具類であった。また、殺菌や消毒処理はクレ−ゾ−ル等の殺菌剤類での殺菌や、室内環境に於いては有機物塩基性の組換へ物質の散布や天然中性材の応用や紫外線の殺菌である。【０００５】  産業分野での乾燥硬化などのエネルギ−は、電気ヒ−タ−や重油やガス燃焼の発熱の熱風循環や電気ヒ−タ−と熱風循環との併用など熱支配の乾燥装置である。
【発明が解決しようとする課題】
【０００６】  医学・薬学と異なる健康長寿の代替医療に遠赤外線光を吸光振動する単細胞領域で、原子価角の周期的な変化に起こる面内・面外の変角振動と原子価の軸方向に原子価振動の伸縮振動で、原子及び分子団の細胞内金属元素イオンと、テラヘルツ発振の吸光でイオン的に伝達し補酵素を合成し、酵素の活性触媒を促進し、蛋白質・酵素を中心の基質代謝で遺伝情報発現を制御させ、抗体として免疫的な防御機能の体質を遠赤外線テラヘルツ発振装置で、ファンデルワ−ルス力の距離の７乗で反比例する効果とク−ロン力の距離の２乗に反比例する効果で、細胞物質を変換する光化学活性反応である。
【０００７】  単細胞の細菌微生物が、空気質量の酸素１ｓ２２ｓ２２ｐ４、窒素１ｓ２２ｓ２２ｐ３の副量子数電子配置と、温度・湿度でビタミン触媒で増殖す胞子の非金属元素が主体的な陰性度ＤＮＡが遠赤外線陽イオン放射光を胞子は、遠赤外線テラヘルツ発振光を胞子色素で吸光して細胞組織を振動開裂で存在を失わせ殺菌させる。
室内環境の内装材や調度品など、製品化過程で接着剤など非金属元素類で合成された陰イオン系の有害化学物質に、遠赤外線テラヘルツ発振装置が放射する陽イオンを取込ませク−ロン力の距離の２乗で反比例する効果が正・負電荷を等しくさせ中性化する。
【０００８】  室内環境の内装材や調度品など、製品化の過程で有機リン系の接着剤など非金属元素類で合成された陰イオン系のシックハウス症候群に起因する有害物質に、遠赤外線光の陽イオン電荷のテラヘルツ波がク−ロン力で取込まれと、陽・陰電荷を等しくさせて中性化で無質化環境を可能にする。
【０００９】  非金属元素類を主分布配合した陰イオン系の化学製品類の製造課程に、陽イオン振動を取込ませ中性化とイオン化結合で硬化が促進され、化学製品外の有機物などは振動合成熱で光エネルギ−の吸光でラジカルが生成し、物質分子とラジカル反応のイオン的反応で乾燥硬化などを効果的促進する遠赤外線テラヘルツ発振装置である。
【課題を解決するための手段】
【００１０】  健康長寿の代替医療として酵素中心の基質代謝に、室内環境の天井などの任位などの位置に設けられる様に、日本標準規格ソケットＥ２６の接続口金が遠赤外線テラヘルツ発振装置に装填されている。
【００１１】  単細胞細菌微生物ブドウ球菌など触媒増殖細菌に室内環境に設けるものと、金属枠等で個別に殺菌が可能な遠赤外線光テラヘルツ波の発振装置てある。
【００１２】  室内環境の恒常性ホルモンに関わる陰イオン有害化学物質を、室内環境の任位の位置に設けて、遠赤外線テラヘルツ発振装置の陽イオンに取込ませ中性化する。
【００１３】  産業分野では、連続的・単位的な目的処理があるが、遠赤外線放射体を複数個または単個を処理目的の作業枠内の上部分などに設けて、光エネルギ−振動合成熱を吸光ラジカルを生成し物質分子とラジカル反応イオン的に乾燥等を促進するもので、主に熱支配の乾燥促進と異なる、主に光支配で効果的達成が可能にする。
【発明の作用】
【００１４】  この発明は、ソケット部から遠赤外線テラヘルツ発振装置への通電で、一次抵抗線コイル巻電極の電界と磁界が誘電体を経由し遷移金属二次電極材表面に振動合成熱を伴って陽イオン暗視光が位相物性を放射され、軽量で量産化が可能である。
【００１５】  一次抵抗線コイル巻電極は、ニッケルクロム線などで振動合成発熱と、遷移金属二次電極材は陽極酸化熱処理した材料である。
【００１６】  この様に発明した遠赤外線光テラヘルツ波の発振装置は、生体細胞の金属イオンと伝達し補酵素を合成し、生理機能などに必要な酵素活性触媒に参加し、蛋白質合成に酵素中心の基質代謝で、ＤＮＡと結合する遺伝情報を発現の制御する。
【００１７】  この様に発明した遠赤外線光テラヘルツ波の発振装置は、室内環境の単細胞細菌微生物には吸光振動開裂で存在を失わせ、内装材など恒常性の陰イオン方有害化学物質に陽イオン光を取込ませ中性を可能にさせる。
【００１８】  この様に発明した遠赤外線光テラヘルツ波の発振装置は、乾燥装置など枠内ではハロゲン族・酸素続・窒素族・など陰イオン物質に、光エネルギ−を吸光でラジカルが生成し、物質分子とラジカル反応とイオン的結合で効果促進する。
【発明を実施するための最良の形態】
【００１９】  以下、この発明の実施例を図面に基つき説明する。
図１は、この発明に係わる遠赤外線光テラヘルツ波の発振装置を示す完成概略図の側面図である。【００２０】  図２は、断面図内部を材料詳細を以下の構成符号順を備えている。
符号１０は遷移金属を陽極酸化処理の薄板材で二次電極体を示し、遠赤外線テラヘルツ発振装置の放射面も兼ね０．００３〜０．０１５ｍＡの微電流を付帯している。
符号１２は一次コイル巻電極で、振動結合領域毎の抵抗値ニッケルクロム線を選択して本装置の主要物性の電界・磁界の放出を、コイル巻数などの構造を備え、振動結合領域毎の数値で抵抗値ニッケルクロム線を、半円基板へ左右対象にコイル巻で固定する。【００２１】  符号１０と符号１２の間隙に、符号１３の比誘電率５〜８εｓのマイカなど絶縁体を設け符号１２の静電容量を制御する。  符号１４の基板は、符号１２の物性基板と合金リベットやホチキス針などで結束され、符号１５は絶縁断熱用にマイカ材で備る。【００２２】  符号１６は、符号１０〜１７各材を結束矯正総括板である、符号１２の電界と磁界の振動発生の合成熱が、図１の符号１０完成概略図の符号２５は、各符号部を機械的結束の微少の伸縮・抗張力・引張力・歪の均衡変化に順応する、ステンレス材物性を応用し結束中心部機能に凸部を備へている。【００２３】  符号１７は、遠赤外線光テラヘルツ波の発振装置の主要各符号を結束形状化するステンレス材形成板で、符号１８軸両端の一方を符号１７板とハゼ折で接続一体化は、他の先端に符号１９Ｂ絶縁碍子を、符号１９Ａ状にカシメ固定形成と、通電可能の符号２０日本規格Ｅ２６ソケット口金固定を備えている。【００２４】  図２の符号１２通電を可能にする、符号１８軸先端に通電可能な符号２１Ａの「＋」リ−ド線をＥ２６の頭端に半田融接し、「−」リ−ド線をＥ２６の裾部に半田融接し、符号１２一次コイル巻電極のコイル巻き出から巻回し送りでコイル巻線の接続位置を左右コイル基板中心部に集約し、符号２３Ａ「＋」側取出端子と、符号２３Ｂ「−」側取出端子に、符号２４Ａ及び符号２４Ｂのリ−ド線を接続結束し外部から通電可能を備える。【００２５】  図３は、図２の符号１２の半円左右基板の詳細１２−１である。【００２６】  図４は、符号１２−１基板にニッケルクロム線をコイル巻し、図２の符号１４と結合した状態図の符号１２−２である。【００２７】  符号１２−２の状態図は、符号５１のニッケルクロム抵抗値線を、予め、半円基板のキザミ間隔に結合領域の変位に相対する、抵抗値線を変換させ廻し巻線で、符号５２は左右対象の半円基板片側から、コイル巻線を基板裏側を辿り他方の半円基板に接続するニッケルクロム線で、符号５３は、図４の１２−２基板と符号１４とを結合する、符号５３は、リベット・カシメもしくはホチキス針接着などの結合位置を現わし、符号５４は、通電可能な２１Ａと２１Ｂを２３Ａ＋と２３Ｂ−のリ−ド線で結束する発振起点の位置である。【００２８】  図５は、符号１３の比誘電率５〜８εｓマイカ絶縁体を、符号１３−１に示す２ｃｍ２充りの等間隔で、全面に複数個以上を設け比誘電率損を緩和制御を備えている。【００２９】  図２が示す符号順に構造化し図１通りの製品形状に通電で、遠赤外線光テラヘルツ波の物性を室内環境の上部などや枠内での対象物の放射が可能になり、光合成反応やイオン的光学活性の反応で測られた目的の物質変換の効果を表す。
【発明の効果】
【００３０】  原子及び原子団の吸光振動は、伸縮・変角振動は単結合領域で生体細胞の色素蛋白質複合体で集光した光エネルギ−変換反応で、二重結合領域は吸光の伸縮振動で非金属元素類の組織成分に陽イオン光の産業用乾燥硬化などに変換反応を示し、三重・水素との結合領域での伸縮振動は高レベル成分の産業用や毒性処理などに３２００ｃｍ−１迄の波数が効果を示す、遠赤外線光テラヘルツ波の発振装置である。
【００３１】  主に変角振動は吸光振動の波数７００ｃｍ−１〜１５００ｃｍ−１単結合領域のみにあり、伸縮振動とに高分子化合物の動植物に生体細胞へ触媒など化学反応で変換効果を現わす。
【００３２】  二重・三重・水素との結合領域で吸光する変角・伸縮振動は１．０００ｃｍ−１〜３２００ｃｍ−１波数で乾燥や乾燥硬化や有害化学物質に中性化の効果的に表現する。
【００３３】  三重結合領域や水素との結合領域で、有害物質ダイオキシン類の消滅実験では（別紙に分析表を添える）の０値単位の結果が求められたように化学物質に適応性を持つ。
【発明の用途】
【００３４】  単結合領域の変角・伸縮振動の吸収帯で、遠赤外線光テラヘルツ波を色素蛋白質複合体で吸光した光エネルギ−を、紅色光合成細菌クロロフイル類やカルチノイドの電子転位やプロトンＨ＋や各イオンなどの相対反応で、アデノシン三リン合成酵素の生成と金属イオンとイオン的に結合で補酵素を合成して酵素活性で、生体の構築資材としや各種のホルモンとして作用し、ＤＮＡと結合する塩基性蛋白質の形で遺伝情報発現を制御し抗体として免疫的な防御機能を創る健康長寿の体力を創る為の用途。
【００３５】  単結合領域の変角・伸縮振動の吸収帯で、波数１５００ｃｍ−１迄の吸光帯はミトコンドリアンや器官類が無いが、生体構造と同元素が含有する乾燥物類など乾燥硬化などに応用し、特に元素周期表の６〜７族の物質が遠赤外線光テラヘルツ波が電気的に結合すると硬化は促進される物性は、産業用乾燥硬化などの広域な物質変換などの用途を持つ。
【００３６】  二重結合と三重結合領域の伸縮振動の吸収帯は、波数２４００ｃｍ−１迄の吸光帯で物質的に生体元素が少量もしくは含有しない元素類の被物質を強力的に乾燥硬化などの用途を持つ。
【００３７】  三重結合と水素との結合領域の伸縮振動の吸収帯は、実証例で土壌ダイオキシン類と異性体コプラ−ナ類の毒性分解実験をし分析表とうり０数値を得られた。
【発明の効果】
【００３８】  生体の複合体組織に適合する単結合領域が効果を変角・伸縮振動の物性波数と、二重結合領域の伸縮振動の物性波数と、三重結合と水素との結合領域の伸縮振動の物性波数を的確に把握すると、適応波数が各元素の電気陰性度が化合物に関わる原子間の結合した物質の電気的性質を正（陽イオン・正電荷）・中性・負（陰イオン・負電荷）と捕らえられ、遠赤外線光テラヘルツ波は電気的に陽イオン物性は、室内環境や装置枠内に於いて元素類が組織化する殆どの物質に変換・置換などの目的効果を表す用途がある。
【図面の簡単な説明】
【００３９】
【図１】  遠赤外線光テラヘルツ波の発振装置の形状全体図である。
【図２】  遠赤外線光テラヘルツ波の発振装置の構造を説明する為、形状全体図を断面図の内部に各符号番号を設けた。
【図３】  図２の符号１２の基板を予め予測する磁界と電界を誘発するため左右対称に、コイル巻数をキザミ形状化した基板である。
【図４】  図２の符号１４と符号１２−２のコイル巻基板と結合した平面状態図である。
【図５】  符号１３の絶縁・断熱比誘電材の全面に微細孔を示す形状図である。
【図６】  遠赤外線光テラヘルツ波が光化学活性で結合する結合領域を示す。
【図７】  遠赤外線放射体の放射理想曲線に比例する放射輝度・波長・テラヘルツ波に関連する放射率を示す分析試験等成績表。
【図８】  セラミックス放射体の理想曲線に比例する放射輝度の状態率を示す分析試験成績表
【図９】  二重及び三重結合領域の乾燥硬化を実施例で示す。
【図１０】  単結合領域の単細胞微生物細菌「ＭＲＳＡ」殺菌効果の試験検査成績表。
【図１１】  単結合領域の単細胞微生物細菌「大腸菌」殺菌効果の試験検査成績表。
【図１２】  単結合領域の単細胞微生物細菌「緑のう菌」殺菌効果の試験検査成績表。
【図１３】  三重結合及び水素との結合領域のダイオキシン類の土壌分析測定結果表。
【符号の説明】
【００４０】１０      遷移金属を陽極酸化処理の薄板材の二次電極
１２      一次コイル巻電極板
１２−１  左右基板の詳細図
１２−２  符号１４と結束状態図
１３      比誘電絶縁材
１４      基板
１５      絶縁断熱材
１６      符号１０〜１７の各材を結束矯正総括板
１７      ステンレス材形成板
１８      軸両端
１９Ａ    カシメ固定成形
１９Ｂ    絶縁碍子
２０      Ｅ２６ソケット
２１Ａ    通電可能なリ−ド線
２１Ｂ    通電可能なリ−ド線
２３Ａ    「＋」側取出端子
２３Ｂ    「−」側取出端子
２４Ａ    「＋」リ−ド線
２４Ｂ    「−」リ−ド線
２５      各符号部の機械的結束の均衡化
５１      ニッケルクロム線
５２      ニッケルクロム線巻状態
５３      符号１２と符号１４の結束孔
５４      通電可能な起点
【図１】
2006020984.tif 000003
【図２】
2006020984.tif 000004
【図３】
2006020984.tif 000005
【図４】
2006020984.tif 000006
【図５】
2006020984.tif 000007
【図６】
2006020984.tif 000008
【図７】
2006020984.tif 000009
【図８】
2006020984.tif 000010
【図９】
2006020984.tif 000011
【図１０】
2006020984.tif 000012
【図１１】
2006020984.tif 000013
【図１２】
2006020984.tif 000014
【図１３】
2006020984.tif 000015